(57)【要約】      （修正有）【課題】調理、洗い物、体の洗浄等にフレキシブルに対応できる移動式給湯台車及び水回り給湯ユニットを提供する。【解決手段】水回り給湯ユニット１００を、移動式給湯台車１と、移動式給湯台車１と同一の台車本体２及び移動板５を備えた補助台車２０１、２０２を連結して構成する。移動式給湯台車１の移動板５に、炊飯かまど１７を載置する。補助台車２０１の移動板５に、流し台１８を載置する。補助台車２０２の移動板５に、作業台２０を載置する。移動式給湯台車１及び補助台車２０１、２０２のそれぞれの背面フレーム８どうしを面一となるように配置し、互いに接するそれぞれの側面フレーム９において連結部材１９で連結する。【選択図】図９
0003164448.tif 000002
【実用新案登録請求の範囲】
【請求項１】
ロック機能付きキャスターを有した矩形状の底板と、該底板の外周縁部の上方に配設される背面フレーム及び一対の側面フレームと、
を備え、前記底板が前記背面フレームに対して重なり合うように回動可能に連結され、各前記側面フレームがそれぞれ前記背面フレームに対して重なり合うように回動可能に連結されて折り畳み可能に形成された台車本体と、
前記背面フレームに着脱可能に装着される取付板と、
該取付板に止着される給湯器と、
前記側面フレームに上下移動かつ着脱可能に装着され、前記給湯器から供給される温水を利用するための器具が載置される移動板と、
を備えることを特徴とする移動式給湯台車。
【請求項２】
前記移動板に載置される前記器具が、前記給湯器から供給される温水を加熱する加熱器具であることを特徴とする請求項１記載の移動式給湯台車。
【請求項３】
前記移動板に載置される前記器具が、上方が開口した箱状の流し台であることを特徴とする請求項１記載の移動式給湯台車。
【請求項４】
請求項１記載の移動式給湯台車と同一の前記台車本体及び前記移動板を備えた少なくとも一つの補助台車と、
請求項１、２又は３のいずれか一項に記載の移動式給湯台車と、
をそれぞれの前記背面フレームどうしを面一となるように配置して、互いに接するそれぞれの前記側面フレームにおいて連結部材で連結して構成されることを特徴とする水回り給湯ユニット。
【請求項５】
前記補助台車の前記移動板には、上方が開口した箱状の流し台が載置されていることを特徴とする請求項４記載の水回り給湯ユニット。
【請求項６】
前記補助台車の前記移動板には、作業台が載置されていることを特徴とする請求項４記載の水回り給湯ユニット。
【請求項７】
前記補助台車の前記底板の上部には、筒状で前記補助台車の前記側面フレームに支持され開閉可能な目隠しシートが配設されていることを特徴とする請求項４記載の水回り給湯ユニット。
【請求項８】
ロック機能付きキャスターを有した矩形状の流し台と、該流し台の四隅から上方に延びる縦支持フレームと、隣接する各該縦支持フレームを連結する横支持フレームと、筒状で前記縦支持フレーム及び／又は前記横支持フレームに支持される開閉可能な目隠しシート、
を備えたシャワー用台車と、
請求項１、２又は３のいずれか一項に記載の移動式給湯台車と、
を連結部材で連結して構成されることを特徴とする水回り給湯ユニット。
【考案の詳細な説明】
【技術分野】
【０００１】
本考案は、調理、洗い物、体の洗浄等を容易にする移動式給湯台車及び水回り給湯ユニットに関するものである。
【背景技術】
【０００２】
従来、移動可能な給湯設備として、特許文献１に記載された防水パンがあった。これによると、排水設備を備えた防水パンと、防水パンを載せることができる載置台と、載置台に脚柱と、キャスターと、を備えて移動可能な可動台として構成されていた。
【０００３】
載置台には、洗い水を供給する混合栓を備えた給水設備と、給水経路に配設した電子瞬間湯沸器とを設置したパネルが設けられ、必要に応じ棚部材が載置台の下部に付設されていた。
【先行技術文献】
【特許文献】
【０００４】
【特許文献１】特開２００５−３４６０１号公報
【考案の概要】
【考案が解決しようとする課題】
【０００５】
しかし、上記に示す従来の防水パンは、防水パン及び棚部材が載置台に固定され、他の機材との交換や高さ調節ができないので、災害発生時に困難となる調理、洗い物、体の洗浄等にフレキシブルに対応する機能は、有しておらず避難所で使用するには機能不足であった。
【０００６】
本考案は、上記事情に鑑み、調理、洗い物、体の洗浄等にフレキシブルに対応できる移動式給湯台車及び水回り給湯ユニットを提供することを目的とする。
【課題を解決するための手段】
【０００７】
請求項１記載の考案の移動式給湯台車では、ロック機能付きキャスターを有した矩形状の底板と、該底板の外周縁部の上方に配設される背面フレーム及び一対の側面フレームと、
を備え、前記底板が前記背面フレームに対して重なり合うように回動可能に連結され、各前記側面フレームがそれぞれ前記背面フレームに対して重なり合うように回動可能に連結されて折り畳み可能に形成された台車本体と、
前記背面フレームに着脱可能に装着される取付板と、
該取付板に止着される給湯器と、
前記側面フレームに上下移動かつ着脱可能に装着され、前記給湯器から供給される温水を利用するための器具が載置される移動板と、
を備えることを特徴とする。
【０００８】
請求項２記載の考案の移動式給湯台車では、前記移動板に載置される前記器具が、前記給湯器から供給される温水を加熱する加熱器具であることを特徴とする。
【０００９】
請求項３記載の考案の移動式給湯台車では、前記移動板に載置される前記器具が、上方が開口した箱状の流し台であることを特徴とする。
【００１０】
請求項４記載の考案の水回り給湯ユニットでは、請求項１記載の移動式給湯台車と同一の前記台車本体及び前記移動板を備えた少なくとも一つの補助台車と、
請求項１、２又は３のいずれか一項に記載の移動式給湯台車と、
をそれぞれの前記背面フレームどうしを面一となるように配置して、互いに接するそれぞれの前記側面フレームにおいて連結部材で連結して構成されることを特徴とする。
【００１１】
請求項５記載の考案の水回り給湯ユニットでは、前記補助台車の前記移動板には、上方が開口した箱状の流し台が載置されていることを特徴とする。
【００１２】
請求項６記載の考案の水回り給湯ユニットでは、前記補助台車の前記移動板には、作業台が載置されていることを特徴とする。
【００１３】
請求項７記載の考案の水回り給湯ユニットでは、前記補助台車の前記底板の上部には、筒状で前記補助台車の前記側面フレームに支持され開閉可能な目隠しシートが配設されていることを特徴とする。
【００１４】
請求項８記載の考案の水回り給湯ユニットでは、ロック機能付きキャスターを有した矩形状の流し台と、該流し台の四隅から上方に延びる縦支持フレームと、隣接する各該縦支持フレームを連結する横支持フレームと、筒状で前記縦支持フレーム及び／又は前記横支持フレームに支持される開閉可能な目隠しシート、
を備えたシャワー用台車と、
請求項１、２又は３のいずれか一項に記載の移動式給湯台車と、
を連結部材で連結して構成されることを特徴とする。
【考案の効果】
【００１５】
請求項１記載の考案では、移動板を側面フレームに上下移動可能に装着している。これにより、給湯器から供給される温水を利用するための器具の用途、サイズに応じて移動板の高さを選択することができるので、調理、洗い物、体の洗浄等にフレキシブルに対応可能となる。
【００１６】
請求項２記載の考案では、給湯器から供給される温水を加熱する加熱器具を移動板に載置するように構成している。これにより、給湯器から供給される温水を沸騰させることができるので、避難所で幼児用ミルク容器等の殺菌時に必要な沸騰湯を確保できことができる。
【００１７】
請求項３記載の考案では、上方が開口した箱状の流し台を移動板に載置するように構成している。これにより、給湯器から供給される温水を使用して、食糧、食器及び調理器具を洗うことができる。
【００１８】
請求項４記載の考案では、請求項１記載の移動式給湯台車と同一の台車本体及び移動板を備えた少なくとも一つの補助台車と、請求項１、２又は３のいずれか一項に記載の移動式給湯台車と、をそれぞれの背面フレームどうしを面一となるように配置して、互いに接するそれぞれの側面フレームにおいて連結部材で連結して水回り給湯ユニットを構成している。これにより、任意の補助台車を選択して調理、洗い物、体の洗浄等にフレキシブルに対応できすることができる。
【００１９】
請求項５記載の考案では、補助台車の移動板に、上方が開口した箱状の流し台を載置している。これにより、移動式給湯台車から供給される温水で食糧、食器及び調理器具を洗うことができる。
【００２０】
請求項６記載の考案では、補助台車の移動板に、作業台を載置している。これにより、移動式給湯台車から供給される温水を利用して仕込等の調理作業を行なうことができる。
【００２１】
請求項７記載の考案では、補助台車の底板の上部に、筒状で補助台車の側面フレームに支持され開閉可能な目隠しシートを配設している。これにより、移動式給湯台車から供給される温水を利用し、シャワー室として体の洗浄をすることができる。
【００２２】
請求項８記載の考案では、ロック機能付きキャスターを有した矩形状の流し台と、流し台の四隅から上方に延びる縦支持フレームと、隣接する各縦支持フレームを連結する横支持フレームと、筒状で縦支持フレーム及び／又は横支持フレームに支持される開閉可能な目隠しシート、を備えたシャワー用台車と、請求項１、２又は３のいずれか一項に記載の移動式給湯台車と、を連結部材で連結して水回り給湯ユニットを構成している。これにより、移動式給湯台車から供給される温水を利用し、流し台を流用してシャワー室を構成し、体の洗浄をすることができる。
【図面の簡単な説明】
【００２３】
【図１】本考案の第１の実施形態の移動式給湯台車の正面図である。
【図２】本考案の第１の実施形態の移動式給湯台車の側面図である。
【図３】本考案の第１の実施形態の移動式給湯台車の平面図である。
【図４】本考案の第１の実施形態の移動式給湯台車の移動板にガスコンロを載置した状態の正面図である。
【図５】本考案の第１の実施形態の移動式給湯台車の移動板に炊飯かまどを載置した状態の正面図である。
【図６】本考案の第１の実施形態の移動式給湯台車の移動板に流し台を載置した状態の正面図である。
【図７】本考案の第１の実施形態の移動式給湯台車の給湯器及び移動板を外した状態の斜視図である。
【図８】本考案の第１の実施形態の移動式給湯台車を折り畳む状態の斜視図である。
【図９】本考案の第２の実施形態の水回り給湯ユニットを調理用に連結した状態の正面図である。
【図１０】本考案の第３の実施形態の水回り給湯ユニットを洗いもの、シャワー用に連結した状態の正面図である。
【図１１】本考案の第３の実施形態の水回り給湯ユニットの補助台車をシャワー用にした状態の斜視図である。
【図１２】本考案の第４の実施形態の水周り給湯ユニットの正面図である。
【図１３】本考案の第４の実施形態の水回り給湯ユニットのシャワー用台車の斜視図である。
【考案を実施するための形態】
【００２４】
本考案の第１の実施形態の移動式給湯台車について図面に基づいて説明する。以下の説明では、後述する底板７側を下とし、その反対側を上とする。後述する背面フレーム８が配設された側を後ろとし、その反対側を前とする。前後方向に直交して後述する側面フレーム９、９が対向する方向を左右方向とする。
【００２５】
移動式給湯台車１は、図１に示すように、折り畳み可能に形成された台車本体２と、後述する背面フレーム８に着脱可能に装着される取付板３と、取付板３に止着される給湯器４と、後述する側面フレーム９、９に上下移動かつ着脱可能に装着され、給湯器４から供給される温水を利用するための器具が載置される移動板５と、を備えている。
【００２６】
台車本体２は、図１、２、３に示すように、下面にロック機能付きキャスター６を有した矩形板状の底板７と、底板７の外周縁部の上方に配設される背面フレーム８及び一対の側面フレーム９、９と、を備えている。
【００２７】
底板７は、図１、７に示すように、左右の端部で側面フレーム９、９の最下部に配設された後述する横支柱９２１に載置可能に形成されている。
【００２８】
背面フレーム８は、図１、７に示すように、金属製で格子状に形成され、前側から見て逆Ｕ字状に形成された主支柱８１と、主支柱８１を左右方向で連結し上下方向に沿って間隔をおいて配設される複数の横支柱８２と、横支柱９２に直交して左右方向に沿って間隔をおいて配設される複数の縦支柱８３と、を有して形成されている。
【００２９】
側面フレーム９、９は、図２、７に示すように、それぞれ金属製で格子状に形成され、左右方向から見て逆Ｕ字状に形成された主支柱９１と、主支柱９１を左右方向で連結し上下方向に沿って間隔をおいて配設される複数の横支柱９２と、横支柱９２に直交して左右方向に沿って間隔をおいて配設される複数の縦支柱９３と、を有して形成されている。最下部に配設された横支柱９２１は、底板７の左右の端部を載置可能に形成されている。
【００３０】
図７、８の状態に示すように、底板７はその後端部で、背面フレーム８の最下部に配設された横支柱８２１と蝶番２４を介して、背面フレーム８に対し重なり合うように回動可能に連結されている。
【００３１】
図７、８に示すように、各側面フレーム９、９はその後端部で、背面フレーム８の左右の端部で蝶番２５を介して、それぞれ背面フレーム８に対して重なり合うように回動可能に連結されている。
【００３２】
取付板３は、図１、２、３に示すように、金属製で平板状に形成され、後面側の図示しない掛止器具によって背面フレーム８の横支柱８２に装着されている。
【００３３】
給湯器４はその背面側で、図１、２、３に示すように、取付板３の前面側に止着され一体形成されている。
【００３４】
移動板５は、図１、２、３に示すように、金属製で矩形状に形成され、各側面フレーム９、９に高さ調整板１１及び支持部材１２を介して上下方向に移動可能に装着されている。
【００３５】
高さ調整板１１は、図７に示すように、金属製で断面が略凸状の板状に形成され、長手方向に沿って支持部材１２と係合可能な係止孔１１１が形成されている。高さ調整板１１は、各側面フレーム９、９の前端部と後端部の下部の四か所にそれぞれ配設され、横支柱９２に止着されている。
【００３６】
支持部材１２は、図１、２、３に示すように、金属製で略Ｌ字状に形成され、一端部において係止孔１１１係止可能に、他端部において移動板５を支持可能に形成されている。
【００３７】
本実施形態においては、図４に示すように、移動板５に給湯器４から供給される温水を加熱するポータブルガスコンロ１３が載置されている。
【００３８】
本実施形態の移動式給湯台車１の使用方法を説明する。
【００３９】
背面フレーム８に対して重なり合うよう折り畳まれた状態の台車本体２を、図７、８に示すように、展開させる。背面フレーム８に給湯器４が止着された取付板３を装着する。高さ調整板１１の係止孔１１１に支持部材１２の一端を係合させて移動板５の上下方向の高さの位置決めをする。支持部材１２の他端で移動板５を支持させる。移動板５にポータブルガスコンロ１３を載置する。給湯器４に、図１に示すように、ガスボンベ１４、給水管１５を接続する。（図１以外の図面では、ガスボンベ１４、給水管１５の記載は、省略する。）必要に応じて、図示しない混合栓等を取り付けて給湯器４から供給される温水を利用する。
【００４０】
収納する際には、逆の手順で分割、取り外しを行なって倉庫等で保管する。
【００４１】
本実施形態の移動式給湯台車１では、移動板５を側面フレーム９に上下移動可能に装着している。これにより、給湯器４から供給される温水を利用するための器具の用途、サイズに応じて移動板５の高さを選択することができるので、調理、洗い物、体の洗浄等にフレキシブルに対応可能となる。
【００４２】
また、キャスター６を有した台車本体２に取付板３に止着された給湯器４を装着しているので、台車本体２と、給湯器４とを別々に搬送することがなくなり屋内、屋外のいずれにおいても移動を容易にすることができる。
【００４３】
さらに、底板７を背面フレーム８に対して重なり合うように回動可能に連結し、各側面フレーム９、９をそれぞれ背面フレーム８に対して重なり合うように回動可能に連結し、台車本体２を折り畳み可能に形成している。それとともに、取付板３に止着された給湯器４を背面フレーム８と着脱可能にして、移動板５を側面フレーム９と着脱可能にしている。これにより、取付板３及び移動板５を台車本体２から取り外すとともに、台車本体２を折り畳むことができるので、収納時、運搬時のスペースを削減することができる。
【００４４】
また、給湯器４から供給される温水を加熱するポータブルガスコンロ１３を移動板５に載置するように構成している。これにより、給湯器４から供給される温水を沸騰させることができるので、避難所で幼児用ミルク容器等の殺菌時に必要な沸騰湯を確保することができる。
【００４５】
本実施形態においては、移動板５にポータブルガスコンロ１３を載置したが、既存の調理又は洗い物器具を用いることができる。図５に示すように、炊飯かまど１７を載置したり、図６に示すように、上方が開口した箱状の流し台１８を載置したりすることが望ましい。
【００４６】
炊飯かまど１７を載置すれば、給湯器４から供給される温水を沸騰させることができるので、短時間で炊き出し等の大人数分の調理が可能となる。また、流し台１８を載置すれば、給湯器４から供給される温水を使用して、食糧、食器及び調理器具を洗うことができる。
【００４７】
本考案の第２の実施形態の水回り給湯ユニットについて図面に基づいて説明する。第１の実施形態の移動式給湯台車１と同一の構成については同一の符号を付するものとする。
【００４８】
水回り給湯ユニット１００は、図９に示すように、上述した移動式給湯台車１と、移動式給湯台車１と、補助台車２０１、２０２とを連結させて構成されている。補助台車２０１、２０２は、移動式給湯台車１と同一の、台車本体２と、移動板５と、高さ調整板１１と、支持部材１２と、を備えている。
【００４９】
移動式給湯台車１の移動板５には、炊飯かまど１７が載置されている。
【００５０】
補助台車２０１の移動板５には、流し台１８が載置されている。補助台車２０２には、作業台２０が載置されている。
【００５１】
移動式給湯台車１及び補助台車２０１、２０２は、それぞれの背面フレーム８どうしが面一となるように配置され、互いに接するそれぞれの側面フレーム９において連結部材１９で連結されている。連結部材１９は、樹脂製の拘束ベルトが用いられ、互いに接するそれぞれの側面フレーム９の前端部及び後端部の上部及び下部の４点で連結している。
【００５２】
本実施形態の水回り給湯ユニット１００では、移動式給湯台車１と同一の台車本体２及び移動板５を備えた補助台車２０１、２０２と、移動式給湯台車１と、をそれぞれの背面フレーム８どうしを面一となるように配置して、互いに接するそれぞれの側面フレーム９において連結部材１９で連結して水回り給湯ユニット１００を構成している。これにより、任意の補助台車を選択して調理、洗い物、体の洗浄等にフレキシブルに対応できすることができる。
【００５３】
また、移動式給湯台車１の移動板５に、炊飯かまど１７を載置しているので給湯器４から供給される温水を使用して、短時間で炊き出し等の大人数分の調理が可能となる。
【００５４】
また、補助台車２０１の移動板５に、上方が開口した箱状の流し台１８を載置している。これにより、移動式給湯台車１から供給される温水で食糧、食器及び調理器具を洗うことができる。
【００５５】
また、補助台車２０２の移動板５に、作業台２０を載置している。これにより、移動式給湯台車１から供給される温水を利用して仕込等の調理作業を行なうことができる。
【００５６】
また、水回り給湯ユニット１００では、補助台車２０２で仕込等の準備をし、移動式給湯台車１で加熱調理をし、補助台車２０１で食器等の洗浄をするといった一連の水回りの作業を一か所ですることができる。
【００５７】
本考案の第３の実施形態の水回り給湯ユニットについて図面に基づいて説明する。水回り給湯ユニット１００と同一の構成については同一の符号を付し、説明を省略するものとする。
【００５８】
水回り給湯ユニット１０１は、図１０に示すように、上述した移動式給湯台車１と、移動式給湯台車１と同一の台車本体２及び移動板５を備えた補助台車２０３、２０４を連結させて構成されている。
【００５９】
移動式給湯台車１の移動板５には、流し台１８が載置されている。
【００６０】
補助台車２０４の移動板５には、図９に示すように、流し台１８が載置され、底板７の上部には、図１１に示すように、筒状で補助台車２０３の側面フレーム９、９及び背面フレーム８に支持され開閉可能な目隠しシート２１が、側面フレーム９、９及び背面フレーム８を外側から覆うように配設されている。背面フレーム８の上部には、ＬＥＤ誘導灯２６が装着されている。移動式給湯台車１の給湯器４から、シャワーホース２７が補助台車２０３の台車本体２内に延設されている。
【００６１】
補助台車２０３の移動板５には、流し台１８が載置されている。
【００６２】
水回り給湯ユニット１０１では、補助台車２０４の底板７の上部に、筒状で補助台車２０４の側面フレーム９、９及び背面フレーム８に支持され開閉可能な目隠しシート２１を外側から覆うように配設している。これにより、移動式給湯台車１から供給される温水を利用し、シャワー室として体の洗浄をすることができる。
【００６３】
また、補助台車２０３の背面フレーム８の上部に、ＬＥＤ誘導灯２６が装着されているので、夜間においてもシャワーの使用が容易となる。
【００６４】
また、移動式給湯台車１の移動板５に、流し台１８を載置している。これにより、給湯器４から供給される温水を使用して、シャワーを浴びる際に脱いだ衣服を洗濯することができる。
【００６５】
また、補助台車２０３の下部に配置した移動板５に、流し台１８を載置している。これにより、移動式給湯台車１から供給される温水で衣服を洗濯することができるとともに、ペット等の洗浄が可能となる。
【００６６】
本考案の第４の実施形態の水回り給湯ユニットについて図面に基づいて説明する。水回り給湯ユニット１００と同一の構成については同一の符号を付し、説明を省略するものとする。
【００６７】
水回り給湯ユニット１０２は、図１２に示すように、上述した移動式給湯台車１と、シャワー用台車３００を連結させて構成されている。
【００６８】
シャワー用台車３００は、図１３に示すように、ロック機能付きキャスター６Ａを有した矩形状の流し台１８Ａを備えている。流し台１８Ａの内側壁に移動式給湯台車１と同一の側面フレーム９、９及び背面フレーム８が配設されている。主支柱８１、９１の上下方向に延びる部分を縦支持フレーム２２とする。主支柱８１の左右方向及び９１の前後方向に延びる部分を横支持フレーム２３とする。シャワー用台車３００は、筒状で縦支持フレーム２２及び横支持フレーム２３に支持される開閉可能な目隠しシート２１Ａを、備えている。移動式給湯台車１の給湯器４から、シャワーホース２７が、シャワー用台車３００の目隠しシート２１Ａ内に延設されている。
【００６９】
水回り給湯ユニット１０２では、シャワー用台車３００と、移動式給湯台車１と、を連結部材１９で連結して水回り給湯ユニット１０２を構成している。そして、シャワー用台車３００を、ロック機能付きキャスター６Ａを有した矩形状の流し台１８Ａと、流し台１８Ａの四隅から上方に延びる縦支持フレーム２２と、隣接する各縦支持フレーム２２を連結する横支持フレーム２３と、筒状で縦支持フレーム２２及び／又は横支持フレーム２３に支持される開閉可能な目隠しシート２１Ａ、で構成している。これにより、移動式給湯台車１から供給される温水を利用し、流し台１８Ａを流用してシャワー室を構成し、体の洗浄をすることができる。
【００７０】
移動式給湯台車１の移動板５に載置される給湯器４から供給される温水を利用するための器具については、上述した実施形態のものにこだわらない。用途に応じて既存のすべての水回り器具を用いることができる。
【００７１】
また、移動式給湯台車１と連結される補助台車の移動板５に載置される器具としては、用途に応じて既存の水回り器具のすべてを用いることができる。
【００７２】
移動式給湯台車と補助台車との組み合わせは、上述したものには、こだわらない、用途に応じて組み合わせを、選択することができる。
【００７３】
また、高さ調整板１１は、移動板５の高さを選択できるものであれば、上述した形態にはこだわらない。
【００７４】
また、連結部材１９は移動式給湯台車と補助台車とを連結できるものであれば、既存のすべての部材を用いることができる。
【００７５】
また、目隠しシート２１、２１Ａは、補助台車２０３及びシャワー用台車３００の外側から覆うように配設しているが、内側に配設して補助台車２０３の側面フレーム９、９で支持させたり、シャワー用台車３００の縦支持フレーム２２及び／又は横支持フレーム２３に支持させたりしてもよい。
【符号の説明】
【００７６】
１  移動式給湯台車
２  台車本体
３  取付板
４  給湯器
５  移動板
６、６Ａ  キャスター
７  底板
８  背面フレーム
９  側面フレーム
１１  高さ調整板
１３  ポータブルガスコンロ
１７  炊飯かまど
１８、１８Ａ  流し台
１９  連結部材
２０  作業台
２１、２１Ａ  目隠しシート
２２  縦支持フレーム
２３  横支持フレーム
１００、１０１、１０２  水回り給湯ユニット
２０１、２０２、２０３、２０４  補助台車
３００  シャワー用台車
【図１】
0003164448.tif 000003
【図２】
0003164448.tif 000004
【図３】
0003164448.tif 000005
【図４】
0003164448.tif 000006
【図５】
0003164448.tif 000007
【図６】
0003164448.tif 000008
【図７】
0003164448.tif 000009
【図８】
0003164448.tif 000010
【図９】
0003164448.tif 000011
【図１０】
0003164448.tif 000012
【図１１】
0003164448.tif 000013
【図１２】
0003164448.tif 000014
【図１３】
0003164448.tif 000015
【手続補正書】
【提出日】平成22年9月27日(2010.9.27)
【手続補正１】
【補正対象書類名】実用新案登録請求の範囲
【補正対象項目名】全文
【補正方法】変更
【補正の内容】
【実用新案登録請求の範囲】
【請求項１】
ロック機能付きキャスターを有した矩形状の底板と、該底板の外周縁部の上方に配設される背面フレーム及び一対の側面フレームと、
を備え、前記底板が前記背面フレームに対して重なり合うように回動可能に連結され、各前記側面フレームがそれぞれ前記背面フレームに対して重なり合うように回動可能に連結されて折り畳み可能に形成された台車本体と、
前記背面フレームに着脱可能に装着される取付板と、
該取付板に止着される給湯器と、
前記側面フレームに上下移動かつ着脱可能に装着され、前記給湯器から供給される温水を利用するための器具が載置される移動板と、
を備えることを特徴とする移動式給湯台車。
【請求項２】
前記移動板に載置される前記器具が、前記給湯器から供給される温水を加熱する加熱器具であることを特徴とする請求項１記載の移動式給湯台車。
【請求項３】
前記移動板に載置される前記器具が、上方が開口した箱状の流し台であることを特徴とする請求項１記載の移動式給湯台車。
【請求項４】
ロック機能付き第二のキャスターを有した矩形状の第二の底板と、該第二の底板の外周縁部の上方に配設される第二の背面フレーム及び一対の第二の側面フレームと、
を備え、前記第二の底板が前記第二の背面フレームに対して重なり合うように回動可能に連結され、各前記第二の側面フレームがそれぞれ前記第二の背面フレームに対して重なり合うように回動可能に連結されて折り畳み可能に形成された補助台車本体と、
前記第二の側面フレームに上下移動かつ着脱可能に装着され、前記給湯器から供給される温水を利用するための器具が載置される第二の移動板と、
を備えた少なくとも一つの補助台車と、
請求項１、２又は３のいずれか一項に記載の移動式給湯台車と、
を前記背面フレームと前記第二の背面フレームとを面一となるように配置して、互いに接する前記側面フレームと前記第二の側面フレームとを連結部材で連結して構成されることを特徴とする水回り給湯ユニット。
【請求項５】
前記補助台車の前記第二の移動板には、上方が開口した箱状の流し台が載置されていることを特徴とする請求項４記載の水回り給湯ユニット。
【請求項６】
前記補助台車の前記第二の移動板には、作業台が載置されていることを特徴とする請求項４記載の水回り給湯ユニット。
【請求項７】
前記補助台車の前記第二の底板の上部には、筒状で前記補助台車の前記第二の側面フレームに支持され開閉可能な目隠しシートが配設されていることを特徴とする請求項４記載の水回り給湯ユニット。
【請求項８】
ロック機能付きキャスターを有した矩形状の流し台と、該流し台の四隅から上方に延びる縦支持フレームと、隣接する各該縦支持フレームを連結する横支持フレームと、筒状で前記縦支持フレーム及び／又は前記横支持フレームに支持される開閉可能な目隠しシート、
を備えたシャワー用台車と、
請求項１、２又は３のいずれか一項に記載の移動式給湯台車と、
を連結部材で連結して構成されることを特徴とする水回り給湯ユニット。
【手続補正２】
【補正対象書類名】明細書
【補正対象項目名】００１０
【補正方法】変更
【補正の内容】
【００１０】
請求項４記載の考案の水回り給湯ユニットでは、ロック機能付き第二のキャスターを有した矩形状の第二の底板と、該第二の底板の外周縁部の上方に配設される第二の背面フレーム及び一対の第二の側面フレームと、
を備え、前記第二の底板が前記第二の背面フレームに対して重なり合うように回動可能に連結され、各前記第二の側面フレームがそれぞれ前記第二の背面フレームに対して重なり合うように回動可能に連結されて折り畳み可能に形成された補助台車本体と、
前記第二の側面フレームに上下移動かつ着脱可能に装着され、前記給湯器から供給される温水を利用するための器具が載置される第二の移動板と、
を備えた少なくとも一つの補助台車と、
請求項１、２又は３のいずれか一項に記載の移動式給湯台車と、
を前記背面フレームと前記第二の背面フレームとを面一となるように配置して、互いに接する前記側面フレームと前記第二の側面フレームとを連結部材で連結して構成されることを特徴とする。
【手続補正３】
【補正対象書類名】明細書
【補正対象項目名】００１１
【補正方法】変更
【補正の内容】
【００１１】
請求項５記載の考案の水回り給湯ユニットでは、前記補助台車の前記第二の移動板には、上方が開口した箱状の流し台が載置されていることを特徴とする。
【手続補正４】
【補正対象書類名】明細書
【補正対象項目名】００１２
【補正方法】変更
【補正の内容】
【００１２】
請求項６記載の考案の水回り給湯ユニットでは、前記補助台車の前記第二の移動板には、作業台が載置されていることを特徴とする。
【手続補正５】
【補正対象書類名】明細書
【補正対象項目名】００１３
【補正方法】変更
【補正の内容】
【００１３】
請求項７記載の考案の水回り給湯ユニットでは、前記補助台車の前記第二の底板の上部には、筒状で前記補助台車の前記第二の側面フレームに支持され開閉可能な目隠しシートが配設されていることを特徴とする。
【手続補正６】
【補正対象書類名】明細書
【補正対象項目名】００１８
【補正方法】変更
【補正の内容】
【００１８】
請求項４記載の考案では、補助台車本体及び第二の移動板を備えた少なくとも一つの補助台車と、請求項１、２又は３のいずれか一項に記載の移動式給湯台車と、を前記背面フレームと前記第二の背面フレームとを面一となるように配置して、互いに接する前記側面フレームと前記第二の側面フレームとを連結部材で連結して水回り給湯ユニットを構成している。これにより、任意の補助台車を選択して調理、洗い物、体の洗浄等にフレキシブルに対応することができる。
【手続補正７】
【補正対象書類名】明細書
【補正対象項目名】００１９
【補正方法】変更
【補正の内容】
【００１９】
請求項５記載の考案では、補助台車の第二の移動板に、上方が開口した箱状の流し台を載置している。これにより、移動式給湯台車から供給される温水で食糧、食器及び調理器具を洗うことができる。
【手続補正８】
【補正対象書類名】明細書
【補正対象項目名】００２０
【補正方法】変更
【補正の内容】
【００２０】
請求項６記載の考案では、補助台車の第二の移動板に、作業台を載置している。これにより、移動式給湯台車から供給される温水を利用して仕込等の調理作業を行なうことができる。
【手続補正９】
【補正対象書類名】明細書
【補正対象項目名】００２１
【補正方法】変更
【補正の内容】
【００２１】
請求項７記載の考案では、補助台車の第二の底板の上部に、筒状で補助台車の第二の側面フレームに支持され開閉可能な目隠しシートを配設している。これにより、移動式給湯台車から供給される温水を利用し、シャワー室として体の洗浄をすることができる。
【手続補正１０】
【補正対象書類名】明細書
【補正対象項目名】００４８
【補正方法】変更
【補正の内容】
【００４８】
水回り給湯ユニット１００は、図９に示すように、上述した移動式給湯台車１と、移動式給湯台車１と、補助台車２０１、２０２とを連結させて構成されている。補助台車２０１、２０２は、移動式給湯台車１と同一の、台車本体２（補助台車本体に相当する）と、移動板５（第二の移動板に相当する）と、高さ調整板１１と、支持部材１２と、を備えている。台車本体２は、図１、２、３に参照するように、下面にロック機能付きキャスター６（第二のキャスターに相当する）を有した矩形板状の底板７（第二の底板に相当する）と、底板７の外周縁部の上方に配設される背面フレーム８（第二の背面フレームに相当する）及び一対の側面フレーム９、９（第二の側面フレームに相当する）と、を備えている。図７、８に参照するように、底板７はその後端部で、背面フレーム８に対し重なり合うように回動可能に連結されている。図７、８に参照するように、各側面フレーム９、９はその後端部で、それぞれ背面フレーム８に対して重なり合うように回動可能に連結されている。
【手続補正１１】
【補正対象書類名】明細書
【補正対象項目名】００６０
【補正方法】変更
【補正の内容】
【００６０】
補助台車２０４の移動板５には、図１０に示すように、流し台１８が載置され、補助台車２０４の底板７の上部には、図１１に示すように、筒状で補助台車２０４の側面フレーム９、９及び背面フレーム８に支持され開閉可能な目隠しシート２１が、補助台車２０４の側面フレーム９、９及び背面フレーム８を外側から覆うように配設されている。補助台車２０４の背面フレーム８の上部には、ＬＥＤ誘導灯２６が装着されている。移動式給湯台車１の給湯器４から、シャワーホース２７が補助台車２０４の台車本体２内に延設されている。
【手続補正１２】
【補正対象書類名】明細書
【補正対象項目名】００６３
【補正方法】変更
【補正の内容】
【００６３】
また、補助台車２０４の背面フレーム８の上部に、ＬＥＤ誘導灯２６が装着されているので、夜間においてもシャワーの使用が容易となる。
【手続補正１３】
【補正対象書類名】図面
【補正対象項目名】図１１
【補正方法】変更
【補正の内容】
【図１１】
0003164448.tif 000016